(57)【特許請求の範囲】
【請求項１】
磁気センサで磁気を検知して表示部の電源をオフとする携帯端末装置を保持する携帯端末装置用ホルダであって、
磁石部を２個所に備えると共に、
これら２個所の磁石部の配置を、該ホルダが携帯端末装置を互いに逆向きにそれぞれ保持するときの前記磁気センサにそれぞれ近接する位置にする
ことを特徴とする携帯端末装置用ホルダ。
【請求項２】
前記ホルダは、折畳型の前記携帯端末装置を開いた状態で保持することを特徴とする請求項１記載の携帯端末装置用ホルダ。
【請求項３】
前記ホルダは、ＧＰＳアンテナが配置された前記携帯端末装置の一方の筐体を所定の角度範囲で回転可能とする状態で、磁気センサ部が配置されている他方の筐体を保持することを特徴とする請求項２記載の携帯端末装置用ホルダ。
【請求項４】
前記ホルダは、ストレート型の前記携帯端末装置を保持することを特徴とする請求項１記載の携帯端末装置用ホルダ。
【請求項５】
前記ホルダは、ユーザが該ホルダを携帯するための取り付け部を備えることを特徴とする請求項１ないし４の何れかに記載の携帯端末装置用ホルダ。
【請求項６】
前記取り付け部を備える側面、及び、この側面に対向する側面のホルダ底部からの高さ寸法を、前記取り付け部を備える側面より前記対向する側面を小さくすることを特徴とする請求項５記載の携帯端末装置用ホルダ。
【発明の詳細な説明】
【０００１】
【発明の属する技術分野】
本発明は、携帯端末装置用ホルダおよびストラップに関し、特に携帯端末装置を保持するとき携帯端末装置の表示部の電源をオフとし電池の寿命を延ばすことができるホルダに関し、また携帯端末装置に近接させるとき同様に携帯端末装置の表示部の電源をオフとすることができるストラップに関する。
【０００２】
【従来の技術】
携帯電話機は確実に保持し、また他のいろいろな目的のためにホルダに挿入され、保持される場合がある（例えば、特許文献１参照。）。また、携帯電話機を簡単かつ確実に携帯するために、ストラップに磁石などの接合手段を設け、ポケットに設けた他方の磁石との間で着脱容易かつ確実に保持する構成も知られている（例えば、特許文献２参照。）。
【０００３】
しかし上記ホルダやストラップが適用される携帯電話機はストレート型の構造を有するものである。近年急速に普及してきた折り畳み型携帯電話機は、２つの筐体を折りたたんで携帯するため、特にホルダで保持して使用又は携帯するという形態は通常は見られない。
【０００４】
【特許文献１】
実用新案登録第３０７９１７５号公報（第３−６頁、図１−図３）
【特許文献２】
特開２０００−１８９２２７号公報（第２−３頁、図１−図３）
【０００５】
【発明が解決しようとする課題】
大型の液晶表示部を備えた折り畳み型携帯電話機は、通常、携帯時は２つの筐体が折りたたまれる。さらに該電話機は折りたたまれると同時に液晶表示画面の電源がオフとなる。液晶表示部は消費電力が大きいため、待ち受け状態で液晶画面をオンにしておくならば電池が無駄に消費されるからである。液晶表示画面の電源をオフにする機構はつぎのとおりである。折り畳み型携帯電話機が折りたたまれるとき、キーを備えた第１の筐体に設置された磁気センサ部と、液晶表示部を備えた第２の筐体に設置された磁石部が近接し、該磁気センサが該磁石部の磁気を検知することにより液晶表示装置の電源を切断するからである。
【０００６】
上記折り畳み型携帯電話機では、ほとんどの操作を筐体を開いた状態で行なうため、操作の度に必ず筐体を開く動作が必要となる。しかし、２つの筐体を開いた状態で携帯するならば、液晶表示部の電源がオンとなり、電池が無駄に消費される。
【０００７】
一方、位置情報サービスの普及が予想されており、日常生活の様々な場面で自己位置検索、第三者検索などが行われると思われる。測位処理を適切に行い、またより高い精度の位置情報を得るためには、電話機の位置と状態、特にＧＰＳアンテナの位置と角度の調整が重要である。しかし、折り畳み型携帯電話機の場合、筐体を開いておくと液晶表示の電源がオンとなるため、電池が消費されてしまう。
【０００８】
したがって本発明の目的は、携帯電話機を容易に携帯可能とし、かつ表示画面電源をオフにすることができるホルダ、特に折り畳み型携帯電話機に関しては、これを開いたまま携帯可能にし、かつ表示画面の電源をオフにすることができるホルダを提供することである。また、上記電話機を開いたまま机などにおいて置く場合であっても容易に表示画面の電源をオフにすることができるストラップを提供するものである。
【０００９】
【課題を解決するための手段】
本発明の携帯端末装置用ホルダは、
磁気センサで磁気を検知して表示部の電源をオフとする携帯端末装置を保持する携帯端末装置用ホルダであって、
磁石部を２個所に備えると共に、
これら２個所の磁石部の配置を、該ホルダが携帯端末装置を互いに逆向きにそれぞれ保持するときの前記磁気センサにそれぞれ近接する位置にするものである。
また、前記ホルダは、折畳型の前記携帯端末装置を開いた状態で保持するものである。
また、前記ホルダは、ＧＰＳアンテナが配置された前記携帯端末装置の一方の筐体を所定の角度範囲で回転可能とする状態で、磁気センサ部が配置されている他方の筐体を保持するものである。
また、前記ホルダは、ストレート型の前記携帯端末装置を保持するものとする。
また、前記ホルダは、ユーザが該ホルダを携帯するための取り付け部を備えるものとする。
更に、前記取り付け部を備える側面、及び、この側面に対向する側面のホルダ底部からの高さ寸法を、前記取り付け部を備える側面より前記対向する側面を小さくするものである。
【００１１】
上記発明によれば、例えば折畳型携帯端末装置のユーザは該装置を開いた状態でかつ表示部の電源をオフにして携帯できる。特にＧＰＳアンテナを備えた折畳型携帯端末装置では、ユーザはＧＰＳアンテナを備えた筐体を最適な角度に保ったまま、かつ表示部の電源をオフにしたままで携帯することができる。またストラップに磁石を設ければ、携帯端末装置を机などにおいておく場合に該携帯端末装置に設置された磁気センサに該磁石を近接させ表示画面の電源をオフにすることができる。
【００１２】
【発明の実施の形態】
本発明のホルダの構成例を図１に示す。図１はホルダ１が、折り畳み型携帯電話機（以下電話機２と記す）を保持している状態を示す。電話機２は２つの筐体を備え、これら２つの筐体が開かれた状態でホルダ１内に保持されている。図１中の上側の筐体は液晶表示部を備え、さらに磁石３を備えている。下側の筐体はキー部を備え、さらに磁気センサ４を備える。
【００１３】
ホルダ１は、上記のように状態で電話機を保持するとき、磁気センサ４に近接する位置に磁石３を有している。電話機が上記のようにホルダ１内に挿入される場合、磁気センサ４はホルダ１の下部に位置するので、ホルダ１の磁石３もホルダ下部に配置される。またホルダ１は該ホルダ１をユーザの衣服、ベルト、鞄などに取り付けるための取り付け具５を有している。
【００１４】
図２はホルダ１の他の構成例を示す。この例ではホルダ１の下部に２つの磁石が、ホルダ１の互いに対向する面にそれぞれ配置される。このようにホルダ１内に磁石３が配置されると、電話機２が図１に示される向きと逆向きにホルダ１内に保持される場合でも、磁気センサ４が磁石３と近接することができる。
【００１５】
上記ホルダ１に電話機２を２つの筐体を開いた状態で挿入、保持せしめるならば、下部の筐体に設置された磁気センサ４がホルダ１の磁石３に近接することによって、その磁気を検知し、液晶表示画面の電源をオフにすることができる。また、ユーザがホルダ１から電話機２を取り出すと、磁気センサ４は所定の磁気量を検知できなくなり、液晶表示画面の電源をオンにする。
【００１６】
図３はさらに他のホルダの例を示す。このホルダ１は液晶表示画面を備えた上部の筐体にＧＰＳアンテナ６が配置された構成の電話機２を保持するために適する。このホルダ１も、ホルダ底部近傍に磁石３が配置されており、電話機２を保持するときその磁気センサ４と該磁石３が近接する構成になっている。さらに該ホルダ１ではホルダ１の相対向する２つの壁面のうち一方の壁面はその高さが他方の壁面の高さより低い。特に、該低いほうの壁面の高さは電話機２の下部の筐体の高さより低いことが望ましい。このホルダ１に電話機２を保持しすると、ＧＰＳアンテナ６が配置された上部の筐体が所定の角度範囲で回転できることになり、特にＧＰＳアンテナ６がパッチアンテナなどの指向性アンテナである場合、ＧＰＳ信号の受信し易い角度に調整することができる。電話機２のユーザはこのホルダを用いてＧＰＳアンテナ６を望ましい位置に保ったまま携帯することができ、同時に該ホルダ１で電話機２を携帯している間、電話機２の表示画面の電源をオフにしておくことができる。
【００１７】
図４は本発明の他の実施形態の例を示す。上述の説明では電話機２は２つの筐体が折りたたまれる折畳型携帯電話器の例が記載されているが、上述のホルダ１はストレート型の携帯電話機にも当然適用できる。このストレート型携帯電話機が磁気センサ４を備えるとき、該磁気センサ４はホルダ１に設置された磁石３の磁気を検知してこの携帯電話機の表示画面の電源をオフにする。
【００１８】
図５は、ストラップ７を備える折り畳み型携帯電話機を示す。この電話機２をテーブルなどの上に筐体を開いたままで置くならば液晶表示部の電源はオンになる。このストラップ７は磁石３を備えており、この磁石３を電話機２の磁気センサ４の近傍に置くと、磁気センサ４は磁石３の磁気を検知し、液晶表示部の電源をオフとする。磁石３を磁気センサ４から離すと、磁気センサ４は磁石３の磁気を検出しなくなり、液晶表示部の電源をオンとする。このように折り畳み型携帯電話機を筐体を開いた状態てテーブルなどに置く場合、簡単に表示画面の電源をオフとすることができる。このストラップ７は当然ストレート型の携帯電話器にも適用できる。
【００１９】
【発明の効果】
本発明のホルダでは、保持すべき携帯端末装置が折畳型の場合、２つの筐体を開いたままで携帯でき同時に表示部の電源をオフとすることができるので、電池の無駄な消費を避けることができる。また携帯端末装置がＧＰＳアンテナを備えている場合、アンテナを最適な位置に保ちながら携帯でき、かつ電池の無駄な消費を避けることができる。
【図面の簡単な説明】
【図１】本発明のホルダの構成例を示す断面図。
【図２】本発明のホルダの他の構成例を示す断面図。
【図３】本発明のホルダのさらに他の構成例を示す断面図。
【図４】本発明のホルダのさらに他の構成例を示す断面図。
【図５】携帯端末装置に取り付けられたストラップの例を示す図。
【符号の説明】
１    ホルダ
２    電話機
３    磁石
４    磁気センサ
５    取り付け具
６    ＧＰＳアンテナ
７    ストラップ
【図１】
0004150849.tif 000002
【図２】
0004150849.tif 000003
【図３】
0004150849.tif 000004
【図４】
0004150849.tif 000005
【図５】
0004150849.tif 000006